(57)【要約】【課題】  製造コストの増加を抑えながらも現金収納部内の現金における防犯性を高める。【解決手段】  この写真撮影装置には、投入口が形成された扉の内側で、投入口に対峙するように配置された現金収納部と、扉の内側で、かつ現金収納部の周囲に配置された第１壁部と、扉の内側で、かつ第１壁部の周囲に配置された第２壁部とが備えられている。【選択図】図２
2007094688.tif 000002
【特許請求の範囲】
【請求項１】
投入口が形成された扉の内側で、前記投入口に対峙するように配置された現金収納部と、
前記扉の内側で、かつ前記現金収納部の周囲に配置された第１壁部と、
前記扉の内側で、かつ前記第１壁部の周囲に配置された第２壁部とを備えることを特徴とする写真撮影装置。
【請求項２】
請求項１記載の写真撮影装置において、
前記第１壁部と前記第２壁部との間に配置されて、前記第１壁部と前記第２壁部とを連結する第１連結部を備えることを特徴とする写真撮影装置。
【請求項３】
請求項２記載の写真撮影装置において、
前記第１連結部は、前記扉から５０ｍｍ以上離れて配置されていることを特徴とする写真撮影装置。
【請求項４】
請求項１〜３のいずれか１項に記載の写真撮影装置において、
前記現金収納部と前記第１壁部との間に配置されて、前記現金収納部と前記第１壁部とを連結する第２連結部を備えることを特徴とする写真撮影装置。
【請求項５】
請求項４記載の写真撮影装置において、
前記第２連結部は、前記扉から５０ｍｍ以上離れて配置されていることを特徴とする写真撮影装置。
【請求項６】
請求項１〜５のいずれか１項に記載の写真撮影装置において、
前記第１壁部と前記第２壁部の少なくとも一方の先端部から扉までの距離が５０ｍｍ以上であることを特徴とする写真撮影装置。
【請求項７】
請求項１〜６のいずれか１項に記載の写真撮影装置において、
前記扉の内面から立設する少なくとも１つのリブを備えることを特徴とする写真撮影装置。
【請求項８】
請求項１〜７のいずれか１項に記載の写真撮影装置において、
前記現金収納部は、前記扉から離れるように配置されていて、
前記投入口と前記現金収納部とが中空パイプで連通されていることを特徴とする写真撮影装置。
【発明の詳細な説明】
【技術分野】
【０００１】
本発明は、写真撮影装置に係り、特に、料金徴収可能とした写真撮影装置に関する。
【背景技術】
【０００２】
従来から、免許証やパスポート、履歴書等に貼付するような証明写真等を撮影するためのボックス型の写真撮影装置が普及しており、街頭や店頭に設置されている。このような写真撮影装置では、撮影ボックス内に顧客が入り、ガイドにしたがって顧客自ら撮影操作を行うことにより、簡単かつ短時間でプリント写真を得ることができる（特許文献１参照）。
【０００３】
図３は、従来の写真撮影装置の概略構成を表す説明図である。この図３に示すように写真撮影装置１００はボックス型に形成されていて、その外壁にはプリントされた写真を取り出すための取出口１０１が設けられている。また、写真撮影装置１００のボックス内部には、顧客Ｍが座れるように椅子１０２が回転可能に設置されている。なお、椅子１０２は回転により昇降可能に構成されている。また、椅子１０２に顧客Ｍが座った際の当該顧客Ｍの上方、前方、後方には、それぞれ証明用のストロボ１０３が設置されている。さらに顧客Ｍの前方には、操作手順やその他の撮影に関する操作を行うための操作画面、撮影画面等を表示する表示部１０４、操作を指示するための操作部１０５が設けられている。表示部１０４の下方には、撮影料金を精算するための投入口１０６が形成された扉１０７が設けられている。扉１０７はヒンジ１０８により開閉自在に支持されている。この扉１０７の内面には、投入口１０６から投入された現金を収納する現金収納部（図示省略）が固定されており、扉１０７を開くことで現金収納部に貯まった料金を回収できるようになっている。
【特許文献１】特開２００５−１３４８０１号公報
【発明の開示】
【発明が解決しようとする課題】
【０００４】
ところが、前述したようなボックス型の写真撮影装置１００であると、人が入って入口の遮光カーテン１０９が閉じられてしまえば内部の状況が外部からは分かりにくいために、犯罪者により電動工具等で扉１０７が破壊されて現金収納部から現金が盗まれたとしても、盗難後に発覚することになる。このため、扉に対する破壊行為があったとしても、少なくとも現金だけは防御できる防犯性が望まれている。そこで、扉自体の材質を強硬度のものにしたり、厚くしたりすることが考えられるが、これらの案は扉全体に関わってくるために製造コストが増加してしまうおそれがある。
【０００５】
本発明の課題は、製造コストの増加を抑えながらも現金収納部内の現金における防犯性を高めることである。
【課題を解決するための手段】
【０００６】
請求項１記載の発明における写真撮影装置は、
投入口が形成された扉の内側で、前記投入口に対峙するように配置された現金収納部と、
前記扉の内側で、かつ前記現金収納部の周囲に配置された第１壁部と、
前記扉の内側で、かつ前記第１壁部の周囲に配置された第２壁部とを備えることを特徴としている。
【０００７】
請求項２記載の発明は、請求項１記載の写真撮影装置において、
前記第１壁部と前記第２壁部との間に配置されて、前記第１壁部と前記第２壁部とを連結する第１連結部を備えることを特徴としている。
【０００８】
請求項３記載の発明は、請求項２記載の写真撮影装置において、
前記第１連結部は、前記扉から５０ｍｍ以上離れて配置されていることを特徴としている。
【０００９】
請求項４記載の発明は、請求項１〜３のいずれか１項に記載の写真撮影装置において、
前記現金収納部と前記第１壁部との間に配置されて、前記現金収納部と前記第１壁部とを連結する第２連結部を備えることを特徴としている。
【００１０】
請求項５記載の発明は、請求項４記載の写真撮影装置において、
前記第２連結部は、前記扉から５０ｍｍ以上離れて配置されていることを特徴としている。
【００１１】
請求項６記載の発明は、請求項１〜５のいずれか１項に記載の写真撮影装置において、
前記第１壁部と前記第２壁部の少なくとも一方の先端部から扉までの距離が５０ｍｍ以上であることを特徴としている。
【００１２】
請求項７記載の発明は、請求項１〜６のいずれか１項に記載の写真撮影装置において、
前記扉の内面から立設する少なくとも１つのリブを備えることを特徴としている。
【００１３】
請求項８記載の発明は、請求項１〜７のいずれか１項に記載の写真撮影装置において、
前記現金収納部は、前記扉から離れるように配置されていて、
前記投入口と前記現金収納部とが中空パイプで連結されていることを特徴としている。
【発明の効果】
【００１４】
現金収納部内の現金が盗まれる際には犯罪者によって手動式や電動式のノコギリ等で外側から扉が切断されることが考えられる。扉の切断時においては、犯罪者は現金収納部の正確な位置を把握しておらず、さらには現金収納部内の紙幣を傷つけることを恐れるために、投入口を基準とし現金収納部よりも大きめに扉を切断することが想定される。つまり、請求項１記載の発明のように現金収納部が第１壁部や第２壁部によって囲まれていると、犯罪者がノコギリ等で外側から扉を切断する際には、扉以外にも第１壁部や第２壁部なども切断することになるために、手動式のノコギリであれば切断自体が困難となり、電動式のノコギリであっても、現金収納部を取り出しできるまで切断するには相当の時間が必要となる。このように、犯罪行為に長時間かかるようであれば他者がその行為を発見しやすくなり、現金収納部内の現金が盗難されることを防止できる。さらに、犯罪者の心理上、作業に時間がかかってしまうと発見される可能性が高まるために、切断に時間がかかれば作業途中で諦めて逃亡することも考えられる。以上のことから、現金収納部内の現金に対する防犯性が高められることになる。
そして、第１壁部や第２壁部を設けるだけでよいので、扉全体の材質や厚みを変更する場合と比較しても製造コストが抑えられることになる。
【００１５】
請求項２記載の発明によれば、第１連結部が第１壁部と第２壁部とを連結しているので、万が一、第１壁部の外周に沿って扉が切断されたとしても、第１連結部による連結が解除されていないのであれば、現金収納部を取り外すことは困難となり、防犯性をより高めることができる。
【００１６】
ここで、ボックス内での使用を考えると大型の電動ノコギリの使用は考えにくく、一般的な電動ノコギリの使用が想定されるが、一般的な電動ノコギリであると、刃径が１００ｍｍ程度であるものが多い。すなわち、請求項３記載の発明のように、第１連結部が、扉から５０ｍｍ以上離れて配置されていると、扉が切断されたとしても第１連結部まで刃が届くことが困難となる。これにより、第１連結部による連結が解除されにくくなるので、防犯性をより高めることができる。
【００１７】
請求項４記載の発明によれば、第２連結部が第１壁部と現金収納部とを連結しているので、万が一、現金収納部の外周に沿って扉が切断されたとしても、第２連結部による連結が解除されていないのであれば、現金収納部を取り外すことは困難となり、防犯性をより高めることができる。
【００１８】
請求項５記載の発明によれば、第２連結部が、扉から５０ｍｍ以上離れて配置されているので、扉が切断されたとしても第２連結部まで刃が届くことが困難となる。したがって、第２連結部による連結が解除されにくくなるので、防犯性をより高めることができる。
【００１９】
請求項６記載の発明によれば、第１壁部と第２壁部の少なくとも一方の先端部から扉までの距離が５０ｍｍ以上であるので、扉が切断される際にあっても電動ノコギリの刃が第１壁部や第２壁部の先端部を超えることが防止される。つまり、第１壁部や第２壁部が切断されにくくなるために、より防犯性が高められることになる。
【００２０】
請求項７記載の発明によれば、リブが扉の内面から少なくとも１つ立設しているので扉の切断時にリブも切断しなければならなくなる。これにより手動式のノコギリでは切断自体困難となり、電動式のノコギリであっても、現金収納部を取り出しできるまで切断するにはより相当の時間が必要となるため、防犯性がより高められることになる。
【００２１】
請求項８記載の発明によれば、現金収納部が扉から離れるように配置されているので、投入口から現金収納部の現金取り込み口を破壊することが困難となる。また、投入口と現金収納部とが中空パイプで連通されているので、万が一現金取り込み口が破壊されたとしても中空パイプが障害となり現金を取り出すことも困難となる。
【発明を実施するための最良の形態】
【００２２】
以下、本実施形態における写真撮影装置について図を参照にして説明する。なお、本実施形態の写真撮影装置は、例えば背景技術で説明した従来の写真撮影装置１００とその外観形状は同じであるために、以下の説明では、従来の写真撮影装置１００と同一の部分においては同一符号を付してその説明を省略する。
【００２３】
図１は本実施形態の写真撮影装置１に備わる扉１０７の内側を表す裏面図である。扉１０７の一側部には、写真撮影装置本体に対して扉１０７を開閉自在に支持するヒンジ１０８が上下にそれぞれ固定されている。この扉１０７の内側には、投入口１０６に対峙するように現金収納部２が配置されるとともに、現金収納部２の側方に当該現金収納部２を制御する制御部３が配置されている。そして、扉１０７の内側における現金収納部２の近傍には、扉１０７の内側から立接する金属製のリブ４が幅方向に沿って複数設けられている。
【００２４】
図２は、現金収納部２付近を拡大した拡大図であり、（ａ）は上面図、（ｂ）は側面図、（ｃ）は正面図である。この図２に示すように、現金収納部２の周囲には金属製の第１壁部１１が配置されている。そして、扉１０７の内側における第１壁部１１の周囲には、金属製の第２壁部１２が配置されている。第１壁部１１と第２壁部１２とは扉１０７に固定されている。第１壁部１１と第２壁部１２との間には、第１壁部１１と第２壁部１２とを連結するために、一端が第１壁部１１の外側面に固定されて、他端が第２壁部１２の内側面に固定された金属製で棒状の第１連結部２１が配置されている。そして、第１壁部１１と現金収納部２との間には、第１壁部１１と現金収納部２とを連結するために、一端が第１壁部１１の内側面に固定されて、他端が現金収納部２の外側面に固定された金属製で棒状の第２連結部２２が配置されている。そして、現金収納部２や第１壁部１１は、第１連結部２１や第２連結部２２によって扉１０７から離れるように配置されている。
【００２５】
ここで、第１壁部１１の先端部から扉１０７までの距離Ｌ１、第２壁部１２の先端部から扉１０７までの距離Ｌ２、第１連結部２１と扉１０７との間隔Ｓ１、第２連結部２２と扉１０７との間隔Ｓ２は５０ｍｍ以上に設定されている。
【００２６】
また、扉１０７の内側には、現金収納部２の現金取り込み口５と投入口１０６とが金属製の中空パイプ６によって連通されている。この中空パイプ６は、投入口１０６から現金取り込み口５に向けて狭まるように形成されている。
【００２７】
次に、本実施形態の作用について説明する。
現金収納部２内の現金が盗まれる際には犯罪者によって手動式や電動式のノコギリ等で外側から扉１０７が切断される。扉１０７の切断時においては、犯罪者は現金収納部２の正確な位置を把握しておらず、さらには現金収納部２内の紙幣を傷つけることを恐れるために、投入口１０６を基準とし現金収納部２よりも大きめに扉１０７を切断する。つまり、現金収納部２が第１壁部１１や第２壁部１２によって囲まれていると、犯罪者が外側から扉を切断する際には、扉１０７以外にも第１壁部１１や第２壁部１２なども切断しなければならないことになる。
また、万が一、第１壁部１１や、現金収納部２の外周に沿って扉１０７が切断されたとしても、第１連結部２１や第２連結部２２が第１壁部１１や現金収納部２を支持しているために、現金収納部２を取り外すことが困難となる。
【００２８】
以上のように、本実施形態の写真撮影装置によれば、現金収納部２が第１壁部１１や第２壁部１２によって囲まれているので、犯罪者が電動ノコギリ等で外側から扉を切断する際には、扉以外にも第１壁部１１や第２壁部１２なども切断することになるために、手動式のノコギリであれば切断自体が困難となり、電動式のノコギリであっても現金収納部２を取り出しできるまで切断するには相当の時間が必要となる。このように、犯罪行為に長時間かかるようであれば他者がその行為を発見しやすくなり、現金収納部２内の現金が盗難されることを防止できる。さらに、犯罪者の心理上、作業に時間がかかってしまうと発見される可能性が高まるために、切断に時間がかかれば作業途中で諦めて逃亡することも考えられる。以上のことから、現金収納部２内の現金に対する防犯性が高められることになる。
そして、第１壁部１１や第２壁部１２を設けるだけでよいので、扉１０７全体の材質や厚みを変更する場合と比較しても製造コストが抑えられることになる。
【００２９】
ここで、ボックス内での使用を考えると大型の電動ノコギリの使用は考えにくく、一般的な電動ノコギリの使用が想定されるが、一般的な電動ノコギリであると、刃径が１００ｍｍ程度であるものが多い。すなわち、距離Ｌ１，Ｌ２や間隔Ｓ１，Ｓ２が５０ｍｍ以上に設定されていると、扉１０７が切断されたとしても第１連結部２１や第２連結部２２まで刃が届きにくくなるとともに、第１壁部１１、第２壁部１２が切断されることも困難となる。
【００３０】
そして、リブ４が扉１０７の内面から複数立設しているので扉１０７の切断時にリブ４も切断しなければならなくなる。これにより手動式のノコギリでは切断自体困難となり、電動式のノコギリであっても、現金収納部２を取り出しできるまで切断するにはより相当の時間が必要となるため、防犯性がより高められることになる。
【００３１】
また、現金収納部２が扉１０７から離れるように配置されているので、投入口１０６から現金収納部２の現金取り込み口５を破壊することが困難となる。また、投入口１０６と現金収納部２とが中空パイプ６で連通されているので、万が一現金取り込み口５が破壊されたとしても中空パイプ６が障害となり現金を取り出すことも困難となる。
そして、第１壁部１１が扉１０７に固定されているので、万が一現金収納部２の周囲に沿う切断が行われたとしても、切断された部分と、第１壁部１１とが連結されたままとなる。これにより、切断後に扉１０７の現金収納部２を覆う部分が外れて現金収納部２が露出してしまうことを防止することができ、より高い防犯性を得ることができる。
【００３２】
なお、本発明は上記実施の形態に限らず適宜変更可能であるのは勿論である。
現金収納部２と第１壁部１１との間隔は、一般的なノコギリの刃厚（２ｍｍ程度）よりも小さくすることが好ましい。これにより、ノコギリで外側から扉１０７が切断される際に、万が一現金収納部２の周囲に沿う切断が行われたとしても、一般的なノコギリであれば刃が前記間隔内に侵入することが防止されるので、現金収納部２の周囲に沿って切断されて現金収納部２のみが取り外されて盗難に遭うことを防止することが可能となる。
【図面の簡単な説明】
【００３３】
【図１】本実施形態の写真撮影装置に備わる扉の内側を表す裏面図である。
【図２】図１の扉における現金収納部付近を拡大した拡大図であり、（ａ）は上面図、（ｂ）は側面図、（ｃ）は正面図である。
【図３】従来の写真撮影装置の概略構成を表す説明図である。
【符号の説明】
【００３４】
１，１００  写真撮影装置
２          現金収納部
３          制御部
４          リブ
５          現金取り込み口
６          中空パイプ
１１          第１壁部
１２          第２壁部
２１          第１連結部
２２          第２連結部
１０６          投入口
１０７          扉
【図１】
2007094688.tif 000003
【図２】
2007094688.tif 000004
【図３】
2007094688.tif 000005